(57)【要約】【課題】長期間の保存後にも正確な測定値を与える、血清中に含まれるリポ蛋白中の測定すべき成分の分別定量用標準品の製造方法を提供する。【解決手段】以下の工程を含む、血清中に含まれるリポ蛋白中の測定すべき成分を分別定量するために使用する標準品の製造方法。（１）血清を、リポ蛋白を透過させない透過膜で透析する工程；及び、（２）上記（１）で得られる透析後の血清に含まれるリポ蛋白中の測定すべき成分の含量を、既知量の測定すべき成分を用いて値付けする工程。【選択図】なし【特許請求の範囲】
【請求項１】
以下の工程を含む、血清中に含まれるリポ蛋白中の測定すべき成分を分別定量するために使用する標準品の製造方法。
（１）血清を、リポ蛋白を透過させない透過膜で透析する工程；及び、
（２）上記（１）で得られる透析後の血清に含まれるリポ蛋白中の測定すべき成分の含量を、既知量の測定すべき成分を用いて値付けする工程。
【請求項２】
透析膜が、分画分子量１万以上の透析膜である請求項１記載の製造方法。
【請求項３】
さらに、透析後の血清に、トリメチルアンモニオアルキル−ホスホリル残基を有する化合物又はジメチルスルホアルキルアンモニオ基を有する化合物を添加する工程を含有する、請求項１又は２記載の製造方法。
【請求項４】
トリメチルアンモニオアルキル−ホスホリル残基を有する化合物が、メタクリロイルオキシエチルホスホリルコリン、ポリメタクリロイルオキシエチルホスホリルコリン、又は、メタクリロイルオキシエチルホスホリルコリンとそれ以外のビニル化合物との共重合体である請求項３記載の製造方法。
【請求項５】
ジメチルスルホアルキルアンモニオ基を有する化合物が、３−[（３−コラミドプロピル）ジメチルアンモニオ]プロパンスルホネートである請求項３記載の製造方法。
【請求項６】
さらに、透析後の血清に、融点が−２０℃以下のアルキレングリコールを添加する工程を含む、請求項１〜５のいずれかに記載の製造方法。
【請求項７】
標準品が溶液状である請求項１〜６のいずれかに記載の製造方法。
【請求項８】
請求項１〜５のいずれか１項記載の製造方法で製造される標準品を凍結乾燥する工程を含む、凍結乾燥標準品の製造方法。
【請求項９】
以下の工程を含む、血清中に含まれるリポ蛋白中の測定すべき成分を分別定量するために使用する標準品の製造方法。
（１）血清に、トリメチルアンモニオアルキル−ホスホリル残基を有する化合物を添加する工程；及び、
（２）上記（１）で得られる血清に含まれるリポ蛋白中の測定すべき成分の含量を、既知量の測定すべき成分を用いて値付けする工程。
【請求項１０】
トリメチルアンモニオアルキル−ホスホリル残基を有する化合物が、メタクリロイルオキシエチルホスホリルコリン、ポリメタクリロイルオキシエチルホスホリルコリン、又は、メタクリロイルオキシエチルホスホリルコリンとそれ以外のビニル化合物との共重合体である請求項９記載の製造方法。
【請求項１１】
さらに、融点が−２０℃以下のアルキレングリコールを添加する工程を含む請求項９又は１０記載の製造方法。
【請求項１２】
標準品が溶液状である請求項９〜１１のいずれかに記載の製造方法。
【請求項１３】
請求項９又は１０の製造方法で製造される標準品を凍結乾燥する工程を含む、凍結乾燥標準品の製造方法。
【請求項１４】
リポ蛋白が、高密度リポ蛋白、低密度リポ蛋白、超低密度リポ蛋白、カイロミクロン及びレムナントリポ蛋白からなる群より選ばれるリポ蛋白である請求項１〜１３のいずれかに記載の製造方法。
【請求項１５】
リポ蛋白中の測定すべき成分が、高密度リポ蛋白中のコレステロール、高密度リポ蛋白中の中性脂肪、低密度リポ蛋白中のコレステロール、低密度リポ蛋白中の中性脂肪、超低密度リポ蛋白中のコレステロール、超低密度リポ蛋白中の中性脂肪、カイロミクロン中のコレステロール、カイロミクロン中の中性脂肪、レムナントリポ蛋白中のコレステロール、及び、レムナントリポ蛋白中の中性脂肪からなる群より選ばれる成分である請求項１〜１４のいずれかに記載の製造方法。
【発明の詳細な説明】
【技術分野】
【０００１】
本発明は、血清中に含まれるリポ蛋白中の測定すべき成分を分別定量するために使用する標準品の製造方法に関する。
【背景技術】
【０００２】
臨床診断において、脂質項目の測定は糖尿病などの生活習慣病の予防、生活習慣の改善などにおいて重要である。検体中の脂質項目を測定する方法は数多く報告されているが、検体中のリポ蛋白を分離することなく当該リポ蛋白中の成分を測定する、所謂、ホモジニアス法が一般的となっている。例えば、ディスクリートタイプの自動分析装置にて、デキストラン硫酸などのポリアニオンを使用したホモジニアス法や界面活性剤を使用したホモジニアス法により多量な検体が連続的に定量されている。これらの方法においては、いずれも、検体中の測定すべき成分濃度の算出は、分析時に検体と同時に既知濃度の測定対象成分を含有する標準品を測定し、標準品から得られる吸光度等の情報量と検体から得られる吸光度等の情報量との検量線又は相関式を用いて行われている。
【０００３】
標準品には、測定対象となる成分が単独で一定濃度又は一定含量で含有される製品形態、所謂、純品タイプの標準品の他、測定対象となる検体中の成分が他の成分と共に既知濃度又は既知含量で含有される製品形態、所謂、血清タイプの標準品が知られている。血清タイプの標準品としては、例えば特許文献１に記載された標準品などが知られている。
【０００４】
血清は不安定であるため、血清タイプの標準品としては、凍結乾燥品として販売されており、リポ蛋白中の測定すべき成分の定量に用いるためには、ユーザーが純水を一定量添加して溶解し、均一に混合する必要があった。ユーザーによる純水の添加は標準品中のリポ蛋白の濃度に誤差を生じる原因となり、純水の量が規定より多いと表示された濃度より希薄な標準品になり、少ないと表示された濃度より濃い標準品となる。濃度の誤差はそのまま測定値の誤差に直結する。
【０００５】
新鮮な血清をそのまま利用したものは、簡単に製造でき、標準品としても液状で、ユーザーにとってもそのまま使用できる人的な誤差の生じないものであるが、上記したように血清は不安定であるため、許容誤差範囲内で使用するには１〜２日程度の短期間しか使用することができない。また、血清をそのまま凍結したものは、凍結することによるリポ蛋白粒子へのストレスから、リポ蛋白同士の凝集や変性が進み、凍結融解後では酵素反応の反応性が元の血清と異なってしまう。
【０００６】
リポ蛋白中の測定すべき成分を分別定量するための安定な標準品の製造方法としては、例えば血清に２−メチル−４−イソチアゾリン−３−オンを添加する方法（特許文献２）、蛋白変成剤である硫酸グアニジンをリポ蛋白を含む溶液に添加する方法（特許文献３）、スルホ基を有する緩衝剤を添加して安定化させる方法（特許文献４）等が知られているが、高密度リポ蛋白しか安定化できない、或いは十分な安定性が得られない等の問題があった。
【０００７】
長期間の保存後にも正確な測定値を与える安定な標準品が求められている。
【先行技術文献】
【特許文献】
【０００８】
【特許文献１】特開平１０−１７５９７号公報
【特許文献２】特開平１０−８７６９３号公報
【特許文献３】特開平９−２１６８３５号公報
【特許文献４】国際公開第２００６／０５４５１９号パンフレット
【発明の概要】
【発明が解決しようとする課題】
【０００９】
本発明の課題は、長期間の保存後にも正確な測定値を与える、血清中に含まれるリポ蛋白中の測定すべき成分の分別定量用標準品の製造方法を提供することにある。
【課題を解決するための手段】
【００１０】
今般、発明者は当該課題を検討し、血清を、リポ蛋白を透過させない透過膜を用いて透析することにより、又は、血清に特定の構造の化合物を添加することにより、血清中のリポ蛋白が安定に保持される、という知見を見出し、本発明を完成させた。すなわち、本発明は、以下の［１］〜［１５］に関する。
［１］  以下の工程を含む、血清中に含まれるリポ蛋白中の測定すべき成分を分別定量するために使用する標準品の製造方法。
（１）血清を、リポ蛋白を透過させない透過膜で透析する工程；及び、
（２）上記（１）で得られる透析後の血清に含まれるリポ蛋白中の測定すべき成分の含量を、既知量の測定すべき成分を用いて値付けする工程。
［２］  透析膜が、分画分子量１万以上の透析膜である［１］記載の製造方法。
［３］  さらに、透析後の血清に、トリメチルアンモニオアルキル−ホスホリル残基を有する化合物又はジメチルスルホアルキルアンモニオ基を有する化合物を添加する工程を含有する、［１］又は［２］記載の製造方法。
［４］  トリメチルアンモニオアルキル−ホスホリル残基を有する化合物が、メタクリロイルオキシエチルホスホリルコリン、ポリメタクリロイルオキシエチルホスホリルコリン、又は、メタクリロイルオキシエチルホスホリルコリンとそれ以外のビニル化合物との共重合体である［３］記載の製造方法。
［５］  ジメチルスルホアルキルアンモニオ基を有する化合物が、３−[（３−コラミドプロピル）ジメチルアンモニオ]プロパンスルホネートである［３］記載の製造方法。
【００１１】
［６］  さらに、透析後の血清に、融点が−２０℃以下のアルキレングリコールを添加する工程を含む、［１］〜［５］のいずれかに記載の製造方法。
［７］  標準品が溶液状である［１］〜［６］のいずれかに記載の製造方法。
［８］  ［１］〜［５］のいずれか１項記載の製造方法で製造される標準品を凍結乾燥する工程を含む、凍結乾燥標準品の製造方法。
【００１２】
［９］  以下の工程を含む、血清中に含まれるリポ蛋白中の測定すべき成分を分別定量するために使用する標準品の製造方法。
（１）血清に、トリメチルアンモニオアルキル−ホスホリル残基を有する化合物を添加する工程；及び、
（２）上記（１）で得られる血清に含まれるリポ蛋白中の測定すべき成分の含量を、既知量の測定すべき成分を用いて値付けする工程。
［１０］  トリメチルアンモニオアルキル−ホスホリル残基を有する化合物が、メタクリロイルオキシエチルホスホリルコリン、ポリメタクリロイルオキシエチルホスホリルコリン、又は、メタクリロイルオキシエチルホスホリルコリンとそれ以外のビニル化合物との共重合体である［９］記載の製造方法。
【００１３】
［１１］  さらに、融点が−２０℃以下のアルキレングリコールを添加する工程を含む［９］又は［１０］記載の製造方法。
［１２］  標準品が溶液状である［９］〜［１１］のいずれかに記載の製造方法。
［１３］  ［９］又は［１０］の製造方法で製造される標準品を凍結乾燥する工程を含む、凍結乾燥標準品の製造方法。
【００１４】
［１４］  リポ蛋白が、高密度リポ蛋白、低密度リポ蛋白、超低密度リポ蛋白、カイロミクロン及びレムナントリポ蛋白からなる群より選ばれるリポ蛋白である［１］〜［１３］のいずれかに記載の製造方法。
［１５］  リポ蛋白中の測定すべき成分が、高密度リポ蛋白中のコレステロール、高密度リポ蛋白中の中性脂肪、低密度リポ蛋白中のコレステロール、低密度リポ蛋白中の中性脂肪、超低密度リポ蛋白中のコレステロール、超低密度リポ蛋白中の中性脂肪、カイロミクロン中のコレステロール、カイロミクロン中の中性脂肪、レムナントリポ蛋白中のコレステロール、及び、レムナントリポ蛋白中の中性脂肪からなる群より選ばれる成分である［１］〜［１４］のいずれかに記載の製造方法。
【発明の効果】
【００１５】
本発明により、長期間の保存後にも正確な測定値を与える、血清中のリポ蛋白中の測定すべき成分の分別定量用標準品の製造方法が提供され、本発明の製造方法で製造される分別定量用標準品により、血清中のリポ蛋白中の測定すべき成分の分別定量を正確に行うことができる。
【図面の簡単な説明】
【００１６】
【図１】検体中の高密度リポ蛋白中のコレステロール測定における、吸光度の経時変化を示した図である。
【発明を実施するための形態】
【００１７】
（標準品の製造方法）
本発明の標準品の製造方法は、血清中に含まれるリポ蛋白中の測定すべき成分を分別定量するために使用する標準品の製造方法であり、以下の工程を含む方法である。
・製造方法１
（１）血清を、リポ蛋白を透過させない透過膜で透析する工程；及び、
（２）上記（１）で得られる透析後の血清に含まれるリポ蛋白中の測定すべき成分の含量を、既知量の測定すべき成分を用いて値付けする工程。
【００１８】
また、本発明の標準品の製造方法は、以下の工程を含む方法である。
・製造方法２
（１）血清に、トリメチルアンモニオアルキル−ホスホリル残基を有する化合物を添加する工程；及び、
（２）上記（１）で得られる血清に含まれるリポ蛋白中の測定すべき成分の含量を、既知量の測定すべき成分を用いて値付けする工程。
【００１９】
本発明の標準品は、溶液状態でも凍結乾燥状態でもよい。溶液状態の標準品の具体例を以下に記す。
・製造方法１を用いる場合
(1)血清を、リポ蛋白を透過させない透過膜で透析して得られるもの；
(2)血清を、リポ蛋白を透過させない透過膜で透析した後、透析後の血清にトリメチルアンモニオアルキル−ホスホリル残基を有する化合物又はジメチルスルホアルキルアンモニオ基を有する化合物を添加して得られるもの；
(3)血清を、リポ蛋白を透過させない透過膜で透析した後、融点が−２０℃以下のアルキレングリコールを添加して得られるもの；
(4)血清を、リポ蛋白を透過させない透過膜で透析した後、透析後の血清にトリメチルアンモニオアルキル−ホスホリル残基を有する化合物若しくはジメチルスルホアルキルアンモニオ基を有する化合物、及び、融点が−２０℃以下のアルキレングリコールを添加して得られるもの。
【００２０】
上記(1)〜(4)のいずれにおいても、得られた血清に対して、該血清に含まれるリポ蛋白中の測定すべき成分の含量は、既知量の測定すべき成分を用いて値付けされる。
【００２１】
・製造方法２を用いる場合
(5)血清に、トリメチルアンモニオアルキル−ホスホリル残基を有する化合物を添加して得られるもの；
(6)血清に、トリメチルアンモニオアルキル−ホスホリル残基を有する化合物及び融点が−２０℃以下のアルキレングリコールを添加して得られるもの。
【００２２】
溶液状の標準品を製造する場合、血清を、リポ蛋白を透過させない透過膜で透析した後、融点が−２０℃以下のアルキレングリコールを添加することが好ましい。
【００２３】
上記(5)〜(6)のいずれにおいても、得られた血清に対して、該血清に含まれるリポ蛋白中の測定すべき成分の含量は、既知量の測定すべき成分を用いて値付けされる。
【００２４】
標準品が凍結乾燥状態の場合、上記(1)、(2)又は(5)を凍結乾燥することにより、凍結乾燥標準品を調製することができる。
【００２５】
（標準品の値付け）
標準品の値付けとは、製造された標準品中に含まれるリポ蛋白中の測定すべき成分の含量を、既知量の当該成分を含有する標準血清を用いて決定することを意味する。ここで、既知量の当該成分を含有する標準血清とは、例えば米国厚生省疾病管理・予防センター（ＣＤＣ）勧告法等のホモジニアス法によらない基準法により、当該成分の含量が決定されている血清をいう。この標準血清及び製造された標準品を検体として用いて、実際の自動分析装置を用いるホモジニアス法により測定を行い、既知量の当該成分を含有する標準血清の測定吸光度と製造された標準品の測定吸光度とを比較し、製造された標準品中の当該成分の含量を決定する。製造された標準品は検査施設において標準血清として検体の測定値の決定に使用される。
【００２６】
本発明において、凍結乾燥とは、当該分野において使用される通常の意味で使用され、試料を凍結させ、凍結状態のままで減圧して、試料から水分を除き乾燥することを意味する。凍結乾燥の条件は特に制限はないが、通常−８０〜２０℃、好ましくは−８０〜１５℃の温度で、０．６６７〜１３３３Ｐａ、好ましくは１３．３〜１３３．３Ｐａの圧力で６〜７２時間、より好ましくは、１２〜７２時間行う。凍結乾燥品の水分含量は通常１０重量％以下、好ましくは１重量％以下である。凍結乾燥標準品の製造方法の一態様を以下に記す。
【００２７】
血清を、リポ蛋白を透過させない透過膜で透析した後、透析膜内に残存する血清（＝透析後の血清）を例えば２〜８℃に冷却し、必要に応じて、トリメチルアンモニオアルキル−ホスホリル残基を有する化合物又はジメチルスルホアルキルアンモニオ基を有する化合物を添加する。約１ｍｏｌ／Ｌの水酸化ナトリウム又は約１ｍｏｌ／Ｌの塩酸溶液にてｐＨを調整した後、このｐＨ調整した血清含有水溶液を０．２〜０．８ミクロン程度の濾過膜を使用して濾過する。得られた溶液を凍結乾燥用のバイヤルビンに分注し、半打栓する。バイヤルビンに分注した溶液を例えば、−３０℃以下の低温で、例えば１３３．３Ｐａの真空条件下で凍結乾燥させ、徐々に加温しながら最終的に０〜２０℃にてドライアップし、凍結乾燥状態の標準品を作製する。
【００２８】
本発明の製造方法により得られる標準品は、標準品及び検体が自動的に計量され測定される自動分析機を用いた測定方法に好適に用いられる。
【００２９】
本発明の製造方法により製造された標準品を用いることにより、リポ蛋白中の測定すべき成分を、自動分析機等により測定することができる。標準品を用いて作成された測定すべき成分の濃度と、情報量との間の関係を表す検量線に基づき、市販のキット等を用いて測定された検体中の測定すべき成分の測定値から、検体中の測定すべき成分の濃度を決定することができる。
【００３０】
（血清）
本発明において用いられる血清としては、血液から血球成分等を除いて得られる通常の意味の血清を意味する。血液としては、ヒト等の動物由来の血液が用いられる。また、ＥＤＴＡやヘパリンが添加された血液から得られる血漿に血球凝固剤を添加してオフ・クロットした血清、成分献血から得られる血漿を前述と同様に処理した血清であってもよい。
【００３１】
（リポ蛋白）
本発明におけるリポ蛋白としては、例えば高密度リポ蛋白（以下、ＨＤＬと記す）、低密度リポ蛋白（以下、ＬＤＬと記す）、超低密度リポ蛋白（以下、ＶＬＤＬと記す）、カイロミクロン（以下、ＣＭと記す）及びレムナントリポ蛋白等が挙げられる。
【００３２】
（リポ蛋白中の測定すべき成分）
本発明におけるリポ蛋白中の測定すべき成分としては、例えばＨＤＬ中のコレステロール（ＨＤＬコレステロール）、ＨＤＬ中の中性脂肪、ＬＤＬ中のコレステロール（ＬＤＬコレステロール）、ＬＤＬ中の中性脂肪、ＶＬＤＬ中のコレステロール、ＶＬＤＬ中の中性脂肪、ＣＭ中のコレステロール、ＣＭ中の中性脂肪、レムナントリポ蛋白中のコレステロール、レムナントリポ蛋白中の中性脂肪等が挙げられる。
【００３３】
（透析膜）
本発明に使用する透析膜としては、通常血液の透析に使用できるものであればいずれも使用することができる。例えば、セルロース膜、再生セルロース膜、酢酸セルロース膜、ポリアクリロニトリル膜、エチレンビニールアルコール膜、ポリスルホン膜、ポリアミド膜、ポリエステル系ポリマーアロイ膜等が用いられるが、セルロース膜が好ましい。本発明に使用する透析膜の分画分子量は、測定すべき成分を含むリポ蛋白分子を通過させない分子量であればいずれでもよいが、通常、０．５万から２０万であり、好ましくは１〜１０万である。また、透析膜の代わりに、透析用中空糸を用いてもよい。
【００３４】
（透析液）
本発明において、透析する際の透析液としては、例えば生理食塩水、生理食塩水と同じ浸透圧の緩衝液、生理食塩水と同じ浸透圧の塩類含有緩衝液等が挙げられる。緩衝液の調製に用いられる緩衝剤としては、例えばリン酸塩、酢酸塩、クエン酸塩、リンゴ酸塩、コハク酸塩、シュウ酸塩、グッド緩衝剤等を用いることができる。グッド緩衝剤としては、例えば２−モルホリノエタンスルホン酸（ＭＥＳ）、ビス（２−ヒドロキシエチル）イミノトリス（ヒドロキシメチル）メタン（Ｂｉｓ−Ｔｒｉｓ）、Ｎ−（２−アセトアミド）イミノ二酢酸（ＡＤＡ）、ピペラジン−Ｎ，Ｎ’−ビス（２−エタンスルホン酸）（ＰＩＰＥＳ）、Ｎ−（２−アセトアミド）−２−アミノエタンスルホン酸（ＡＣＥＳ）、３−モルホリノ−２−ヒドロキシプロパンスルホン酸（ＭＯＰＳＯ）、Ｎ，Ｎ−ビス（２−ヒドロキシエチル）−２−アミノエタンスルホン酸（ＢＥＳ）、３−モルホリノプロパンスルホン酸（ＭＯＰＳ）、Ｎ−〔トリス（ヒドロキシメチル）メチル〕−２−アミノエタンスルホン酸（ＴＥＳ）、２−〔４−（２−ヒドロキシエチル）−１−ピペラジニル〕エタンスルホン酸（ＨＥＰＥＳ）、３−〔Ｎ，Ｎ−ビス（２−ヒドロキシエチル）アミノ〕−２−ヒドロキシプロパンスルホン酸（ＤＩＰＳＯ）、Ｎ−〔トリス（ヒドロキシメチル）メチル〕−２−ヒドロキシ−３−アミノプロパンスルホン酸（ＴＡＰＳＯ）、ピペラジン−Ｎ，Ｎ’−ビス（２−ヒドロキシプロパンスルホン酸）（ＰＯＰＳＯ）、３−〔４−（２−ヒドロキシエチル）−１−ピペラジニル〕−２−ヒドロキシプロパンスルホン酸（ＨＥＰＰＳＯ）、３−〔４−（２−ヒドロキシエチル）−１−ピペラジニル〕プロパンスルホン酸〔（Ｈ）ＥＰＰＳ〕、Ｎ−〔トリス（ヒドロキシメチル）メチル〕グリシン（Ｔｒｉｃｉｎｅ）、Ｎ，Ｎ−ビス（２−ヒドロキシエチル）グリシン（Ｂｉｃｉｎｅ）、Ｎ−トリス（ヒドロキシメチル）メチル−３−アミノプロパンスルホン酸（ＴＡＰＳ）、Ｎ−シクロヘキシル−２−アミノエタンスルホン酸（ＣＨＥＳ）、Ｎ−シクロヘキシル−３−アミノ−２−ヒドロキシプロパンスルホン酸（ＣＡＰＳＯ）、Ｎ−シクロヘキシル−３−アミノプロパンスルホン酸（ＣＡＰＳ）等が挙げられる。緩衝液に含有される塩類としては、例えば塩化ナトリウム、塩化カリウム、塩化リチウム、酢酸カリウム等が挙げられる。透析液のｐＨは、通常７．０〜８．２であり、７．４〜７．８が好ましい。
【００３５】
本発明において、透析後の血清に添加される、融点が−２０℃以下のアルキレングリコールとしては、例えばエチレングリコール、プロピレングリコール等が挙げられる。融点が−２０℃以下のアルキレングリコールを添加することにより、−１５℃においても凍結しない、溶液状の標準品を製造することができる。
【００３６】
透析後の血清、又は、透析前の血清に添加されるトリメチルアンモニオアルキル−ホスホリル残基を有する化合物としては、例えばメタクリロイルオキシエチルホスホリルコリン、ポリメタクリロイルオキシエチルホスホリルコリン、メタクリロイルオキシエチルホスホリルコリンとそれ以外のビニル化合物との共重合体等が挙げられる。メタクリロイルオキシエチルホスホリルコリンとそれ以外のビニル化合物との共重合体としては、例えばメタクリロイルオキシエチルホスホリルコリンと２−ヒドロキシ−３−（メタ）アクリロイルオキシプロピルトリメチルアンモニウム  クロライドとの共重合体等が挙げられる。ポリメタクリロイルオキシエチルホスホリルコリンの市販品としては、例えばＬＩＰＩＤＵＲＥ（登録商標）−ＨＭ（日油社製）等がある。メタクリロイルオキシエチルホスホリルコリンと２−ヒドロキシ−３−（メタ）アクリロイルオキシプロピルトリメチルアンモニウム  クロライドとの共重合体の市販品としては、例えばＬＩＰＩＤＵＲＥ（登録商標）−Ｃ（日油社製）等がある。
【００３７】
トリメチルアンモニオアルキル−ホスホリル残基を有する化合物の添加量は、例えば透析後又は透析前の血清１００ｍＬに対して０．０１〜１０ｍｇ／ｍＬであり、好ましくは１．０〜５．０ｍｇ／ｍＬである。
【００３８】
透析後の血清に添加されるジメチルスルホアルキルアンモニオ基を有する化合物としては、例えば３−［（３−コラミドプロピル）ジメチルアンモニオ］プロパンスルホネート（ＣＨＡＰＳ）、３−［（３−コラミドプロピル）ジメチルアンモニオ］−２−ヒドロキシプロパンスルホネート（ＣＨＡＰＳＯ）、Ｎ，Ｎ−ビス（３−Ｄ−グルコナミドプロピル）コラミド（ＢＩＧＣＨＡＰ）、Ｎ，Ｎ−ビス（３−Ｄ−グルコナミドプロピル）デオキシコラミド（ｄｅｏｘｙ−ＢＩＧＣＨＡＰ）等が挙げられる。ジメチルスルホアルキルアンモニオ基を有する化合物の添加量は、例えば透析後の血清１００ｍＬに対して０．０１〜１０ｍｇ／ｍＬであり、好ましくは１．０〜５．０ｍｇ／ｍＬである。
【００３９】
（添加物）
本発明の標準品の製造方法において、透析液に、必要に応じて、金属イオン、塩類、界面活性剤、防腐剤、糖化合物、キレート剤等が添加されてもよい。金属イオンとしては、例えばマグネシウムイオン、カルシウムイオン、マンガンイオン、亜鉛イオン等が挙げられる。塩類としては、例えば塩化ナトリウム、塩化カリウム、塩化リチウム、酢酸カリウム等が挙げられる。界面活性剤としては、例えば非イオン性界面活性剤、陽イオン性界面活性剤、陰イオン性界面活性剤、両性界面活性剤等が挙げられる。防腐剤としては、例えばアジ化ナトリウム、ストレプトマイシン、ゲンタマイシン等の抗生物質、バイオエース、プロクリン３００、プロキセル（登録商標）ＧＸＬ等が挙げられる。糖化合物としては、例えば単糖類、二糖類等が挙げられるが、二糖類が好ましい。単糖類としては、例えばグルコース、フルクトース、フコース等が挙げられる。二糖類としては、例えばサッカロース、トレハロース、マルトース等が挙げられる。単糖類、二糖類等は２種以上を併用することもできる。また、糖化合物を透析液に添加する際の糖化合物の添加量は、透析液１００ｍＬに対し、０．５〜２０ｇであり、１〜５ｇが好ましい。キレート剤としては、例えばＥＴＤＡ等が挙げられる。
【００４０】
以下に、本発明の実施例を示すが、本発明はこれらに限定されるものではない。
【実施例】
【００４１】
［実施例１］
人より採血されたヒトオフ・クロット血清を、濁り成分を除去するために、一旦アドバンテック社製プレフィルターを使用して濾過した。得られた血清にグリセロール−３−リン酸を３００ｍｇ／ｄＬの濃度になるように添加し、分画分子量５万の透析膜［Spectra/Por Biotech社製、製品名：Cellulose Ester (CE) Dialysis Membranes （MWCO 50,000、チューブサイズ(Flat Width/Diameter/Volume/length)：24 mm/15 mm/1.8 mL/cm）］を使用し、５℃の冷室にて透析液を緩やかに攪拌しながら透析膜内の血清と透析液中のグリセロール−３−リン酸の濃度がほぼ等しくなるまで透析した。透析液としては(1)生理食塩液（大塚製薬社製）、又は、(2)ｐＨ７．６の１０ｍｍｏｌ／Ｌ リン酸緩衝液（１ｍｍｏｌ／Ｌ ＥＤＴＡと０．１４２ｍｍｏｌ／Ｌ 塩化ナトリウムを含む）を使用した。
【００４２】
透析後の血清を回収し、透析前の血清と共に、ＨＤＬコレステロール測定試薬であるデタミナーＬ  ＨＤＬ（協和メデックス社製）とＬＤＬコレステロール測定試薬であるデタミナーＬ  ＬＤＬ（協和メデックス社製）を用いて試料中のＨＤＬコレステロール濃度及びＬＤＬコレステロール濃度を測定し、初発測定値とした。次に、透析後の血清を１０℃で１１日間保存したものについて、ＨＤＬコレステロール及びＬＤＬコレステロールの濃度を測定した。対照として、透析しないで保存した場合のリポ蛋白質コレステロール濃度を測定した。
【００４３】
コレステロール濃度の測定には、自動分析装置ＴＢＡＴＭ−２００ＦＲ（東芝メディカルシステムズ社製）を使用し、パラメータにはそれぞれの測定試薬の能書に示す条件を使用した。
【００４４】
透析前の血清および(1)、(2)の透析液で透析した血清の保存後のＨＤＬコレステロール及びＬＤＬコレステロールの測定値の変動率％を下記式（Ｉ）で算出した。尚、本式において、保存後、測定値に変動がない場合は、１００となる。結果を表１に示す。
【００４５】
【数１】
2010156681.tif 000002
【００４６】
【表１】
2010156681.tif 000003
【００４７】
第１表に示す様に、ＨＤＬコレステロール及びＬＤＬコレステロールとも、透析した場合は、透析しない場合と比較して、安定に保持されることが判明した。
【００４８】
［実施例２］
実施例１で用いた透析膜を分画分子量１万の透析膜［Spectra/Por Biotech社製、製品名：スペクトラポア７（MWCO 10,000、Flat Width：10 mm、Diameter：6.4 mm）］に代えた他は、実施例１と同様に行った結果を第２表に示す。
【００４９】
【表２】
2010156681.tif 000004
【００５０】
第２表に示す様に、透析膜として分画分子量１万の透過膜を用いた場合においても、ＨＤＬコレステロール及びＬＤＬコレステロールは、透析しない場合に比較して安定に保持されることが判明した。
【００５１】
［実施例３］
評価用血清として、イ：実施例１で用いた血清（ヒトオフ・クロット血清をろ過して得られた血清で、透析処理されていない血清）、ロ：人血清８ｍＬに１０％アジ化ナトリウム溶液を０．１ｍＬ添加し、これに１ｍｏｌ／ＬのＨＥＰＥＳ溶液を２ｍＬ添加し撹拌したもの、ハ：ヒトプール血清１ｍＬに対し、硫酸グアニジン２０ｍｇを添加したものを調製した。それぞれの溶液を１０℃で１１日間保存し、実施例１と同様にしてＨＤＬコレステロールを測定した。その結果、変動率は、透析処理をしなかった血清イについては３％以上、血清ロについては２．２％、血清ハについては１．９％であったのに対して、(1)生理食塩水で透析した各血清については、変動率が１％以下であった。
【００５２】
［実施例４］
実施例１で使用した血清および透析後の血清をさらに３０℃で４日間保存後、自動分析装置ＴＢＡＴＭ−２００ＦＲを使用し、実施例１と同様に吸光度を経時的に測定した。パラメータにはそれぞれの測定試薬の能書に示す条件を使用した。
【００５３】
図１にＨＤＬコレステロール測定の場合の吸光度の経時変化を示す。図１において、R1は第一試薬が添加される時点を示し、R2は第二試薬が添加される時点を示す。E16は検体に第一試薬が添加・撹拌された時の最終ポイントでの吸光度であり、酵素反応が始まる前の吸光度である。その後、17ポイントの直前で第二試薬が添加され、酵素反応がスタートする。E18は酵素反応がスタートして間もない時点の吸光度である。E21はリポ蛋白の外側に近い部分に存在するコレステロールが関与する初期の酵素反応が反映される時点の吸光度であり、（E21−E18）はほぼ初期の正味の反応速度に相当すると判断される。E28はリポ蛋白の内側部分のコレステロールが関与する後期の酵素反応が始まる時点と考えられる時点の吸光度であり、E33は酵素反応全体がほぼ終了すると考えられる時点の吸光度である。（E33−E28）は正味の後期酵素反応に相当すると判断される。ＨＤＬコレステロール及びＬＤＬコレステロールの測定値は（E33−E16）の値から計算される。
【００５４】
ここで、各透析条件におけるリポ蛋白中の成分の安定性を、２つの指標、すなわち、初期段階での反応性を表わす指標Rfと、後期段階での反応性を表わす指標Reとから評価した。この２つの指標RfとReは、それぞれ、以下の式（ＩＩ）及び式（ＩＩＩ）により算出した。
【００５５】
【数２】
2010156681.tif 000005
【００５６】
【数３】
2010156681.tif 000006
【００５７】
ＨＤＬコレステロールに対して、各条件における血清におけるRfとReを第３表に示す。
【００５８】
【表３】
2010156681.tif 000007
【００５９】
同様に、ＬＤＬコレステロールに対して、各条件における血清におけるRfとReを第４表に示す。
【００６０】
【表４】
2010156681.tif 000008
【００６１】
第３表及び第４表に示す様に、ＨＤＬコレステロール、ＬＤＬコレステロールとも、透析しない血清を用いた場合は、３０℃４日間保存後、Rf及びReは大きな変化を示すが、血清を透析した場合は、３０℃４日間保存後でもRf、Re共に変化が抑制されていた。
【００６２】
［実施例５］
実施例１で使用した塩化ナトリウムの代わりに、塩化カリウム、塩化リチウム、酢酸カリウムを使用する以外は実施例１と同様に行なったところ、実施例１と同様な結果を得た。
【００６３】
［実施例６］
透析液として、(1)生理食塩水、又は、(2)ｐＨ７．６の１０ｍｍｏｌ／Ｌ リン酸緩衝液（１ｍｍｏｌ／Ｌ ＥＤＴＡと０．１４２ｍｍｏｌ／Ｌ 塩化ナトリウムを含む）を使用し、血清として、ヒトオフ・クロット血清を使用した。血清は濁り成分を除去するために、一旦アドバンテック製プレフィルターで濾過したものを用いた。透析膜は分画分子量５万の透析膜［Spectra/Por Biotech社製、製品名：Cellulose Ester (CE) Dialysis Membranes （MWCO 50,000、チューブサイズ(Flat Width/Diameter/Volume/length)：24 mm/15 mm/1.8 ml/cm）］を使用し、５℃の冷室にて外液を緩やかに攪拌しながら１８時間透析した。
【００６４】
透析前の血清、(1)および(2)の透析液で透析した後の血清をそれぞれ半分に分け、半分に分けられたそれぞれの血清にエチレングリコールを、血清量７ｍＬに対して３ｍＬ加えて撹拌した。また、添加前のサンプルも併せて合計６種類のサンプルを用意した。これらについて、実施例１と同様にして１０℃、１１日間保存後、各サンプル中のＨＤＬコレステロールおよびＬＤＬコレステロールを測定した。
【００６５】
第５表に、各サンプルにおける測定値の変動率を示す。
【００６６】
【表５】
2010156681.tif 000009
【００６７】
第５表に示す様に、ＨＤＬコレステロール、ＬＤＬコレステロールとも、透析前の血清にエチレングリコールを添加しても安定性は向上しなかったが、透析後の血清にエチレングリコールを添加した場合は、ＨＤＬコレステロール及びＬＤＬコレステロールが安定に保持されることが判明した。
【００６８】
［実施例７］
実施例６で用いた透析膜を分画分子量１万の透析膜［Spectra/Por Biotech社製、製品名：スペクトラポア７（MWCO 10,000、Flat Width：10 mm、Diameter：6.4 mm）］に代えた他は、実施例６と同様に行った結果、同様の結果を得た。
【００６９】
［実施例８］
実施例６において、透析液として、(2)ｐＨ７．６の１０ｍｍｏｌ／Ｌ  リン酸緩衝液（１ｍｍｏｌ／Ｌ ＥＤＴＡと０．１４２ｍｍｏｌ／Ｌ 塩化ナトリウムを含む）の代わりに、(3)ｐＨ７．６の１０ｍｍｏｌ／Ｌ  ＨＥＰＥＳ緩衝液（１ｍｍｏｌ／Ｌ ＥＤＴＡと０．１４２ｍｍｏｌ／Ｌ 塩化ナトリウムを含む）を用いる以外は実施例６と同様の方法により、ＨＤＬコレステロール及びＬＤＬコレステロールそれぞれに対する測定値の変動率を算出した。その結果を第６表に示す。
【００７０】
【表６】
2010156681.tif 000010
【００７１】
第６表に示す様に、リン酸緩衝液の代わりにＨＥＰＥＳ緩衝液を用いた場合でも、透析後の血清にエチレングリコールを添加した場合は、ＨＤＬコレステロール及びＬＤＬコレステロールが安定に保持されることが判明した。
【００７２】
［実施例９］
血清サンプルとして、(a)ヒトオフ・クロット血清そのまま、(b)ヒトオフ・クロット血清に、ＬＩＰＩＤＵＲＥ（登録商標）−ＨＭを添加したもの、(c)ヒトオフ・クロット血清を後述の条件により透析したもの、及び、(d)後述の条件により透析したヒトオフ・クロット血清にＬＩＰＩＤＵＲＥ（登録商標）−ＨＭを添加したものを用いて、実施例４の方法に従い、各サンプル中のＨＤＬコレステロールに対してRf及びReを算出した。さらに、各サンプルを１０℃で１１日間保存した後のサンプルについて、同様に該サンプル中のＨＤＬコレステロールに対してRf及びReを算出した。その結果を第６表に示す。透析は血清を分画分子量５万の透析膜［Spectra/Por Biotech社製、製品名：Cellulose Ester (CE) Dialysis Membranes （MWCO 50,000、チューブサイズ(Flat Width/Diameter/Volume/length)：24 mm/15 mm/1.8 mL/cm）］に密封し、透析液としてｐＨ７．６の１０ｍｍｏｌ／Ｌ リン酸緩衝液（１ｍｍｏｌ／Ｌ ＥＤＴＡと０．１４２ｍｍｏｌ／Ｌ 塩化ナトリウムを含む）を用い、−８℃の冷室内にて透析液を緩やかに攪拌しながら１８時間行った。
【００７３】
【表７】
2010156681.tif 000011
【００７４】
第７表に示す様に、ＨＤＬコレステロールは、血清を透析した場合も透析しない場合も、トリメチルアンモニオアルキル−ホスホリル残基を有する化合物であるＬＩＰＩＤＵＲＥ（登録商標）−ＨＭの添加により、Rf、Re共に変化が抑制され、従って、ＬＩＰＩＤＵＲＥ（登録商標）−ＨＭの添加により、ＨＤＬコレステロールが安定に保持されることが判明した。
【産業上の利用可能性】
【００７５】
本発明により、動脈硬化などの生活習慣病の予防・診断に有用な、血清中に含まれるリポ蛋白中の測定すべき成分を分別定量するために使用する標準品の製造方法が提供される。
【図１】
2010156681.tif 000012